(57)【特許請求の範囲】
【請求項１】
下端部が閉塞された上部にキャップ嵌合部材が嵌合固定されたハカマ部材と、このハカマ部材内に挿入固定された円筒状の螺旋部材本体、この螺旋部材本体の上下端部に形成された係止凹部、この上下端部の係止凹部と連通するように前記螺旋部材本体の内壁面に形成された螺旋溝とからなる螺旋部材と、この螺旋部材に回転可能に取付けられた下部内壁面に軸心方向の溝を有する外筒部材と、前記螺旋部材内に収納された該螺旋部材の最下部に位置した場合に下端部の係止凹部および螺旋溝と係合し、最上部に位置した場合に螺旋溝および上端部の係止凹部と係合する、少なくとも一対の係合ピンを有する係合ピンを備える部材と、この係合ピンを備える部材と回転可能に取付けられた、前記外筒部材の下部内壁面の溝と係合する係合片を有する内筒部材の下端部が固定された上下移動部材と、前記係合ピンを有する部材に形成されたねじ部と螺合し、かつ前記上下移動部材に上下移動可能で、回動不能に取付けられたねじ棒を備える口紅等の棒状化粧料を支持する皿部材とからなることを特徴とする口紅等の収納容器。  
【請求項２】
下端部が閉塞された上部にキャップ嵌合部材が嵌合固定されたハカマ部材と、このハカマ部材内に挿入固定された円筒状の螺旋部材本体、この螺旋部材本体の上下端部に形成された係止凹部、この上下端部の係止凹部と連通するように前記螺旋部材本体の内壁面に形成された螺旋溝とからなる螺旋部材と、この螺旋部材に回転可能に取付けられた下部内壁面に軸心方向の溝を有する外筒部材と、前記螺旋部材内に収納された該螺旋部材の最下部に位置した場合に下端部の係止凹部および螺旋溝と係合し、最上部に位置した場合に螺旋溝および上端部の係止凹部と係合する、少なくとも一対の係合ピンを有する係合ピンを備える部材と、この係合ピンを備える部材と回転可能に取付けられた、前記外筒部材の上部内壁面の溝と係合する上部外周部に係合片および下部位置に軸心方向の切欠き部が形成された上下移動部材と、前記係合ピンを有する部材に形成されたねじ部と螺合し、かつ前記上下移動部材に上下移動可能で、回動不能に取付けられたねじ棒を備える口紅等の棒状化粧料を支持する皿部材とからなることを特徴とする口紅等の収納容器。
【請求項３】
下端部が閉塞された上部にキャップ嵌合部材が嵌合固定されたハカマ部材と、このハカマ部材内に挿入固定された円筒状の螺旋部材本体、この螺旋部材本体の上下端部に形成された係止凹部、この上下端部の係止凹部と連通するように前記螺旋部材本体の内壁面に形成された螺旋溝とからなる螺旋部材と、この螺旋部材に回転可能に取付けられた上部内壁面に軸心方向の溝を有する外筒部材と、前記螺旋部材内に収納された該螺旋部材の最下部に位置した場合に下端部の係止凹部および螺旋溝と係合し、最上部に位置した場合に螺旋溝および上端部の係止凹部と係合する、少なくとも一対の係合ピンを有する係合ピンを備える部材と、この係合ピンを備える部材と回転可能に取付けられた、前記外筒部材の下部内壁面の溝と係合する係合片を有する内筒部材の下端部が固定された上下移動部材と、前記上下移動部材の切欠き部および前記係合ピンを有する部材に形成されたねじ部と螺合する係合ピンを備える口紅等の棒状化粧料を支持する皿部材とからなることを特徴とする口紅等の収納容器。  
【発明の詳細な説明】
【技術分野】
【０００１】
本発明は口紅、リップクリーム、スチックアイシャドウ、スチックファンデーション等の棒状化粧料を収納する口紅等の収納容器に関する。
【背景技術】
【０００２】
従来の口紅収納容器は口紅の充填時や収納時に、口紅を支持した皿部材が上下方向への移動を防止するために、螺旋部材の螺旋溝の上下部に水平方向の係合ピン支持溝を形成したり、内筒部材の軸心方向の切欠きの上下部に水平方向の係合ピン支持溝を形成している。
【０００３】
しかしながら、このような水平方向の係合ピン支持溝の形成は、金属材料で螺旋部材や内筒部材を形成する場合には比較的容易に形成することができるが、樹脂材でこれらの部品を形成しようとすると金型が複雑となり、コスト高となる欠点があった。
【特許文献１】特許第３５５２１２４号
【特許文献２】実開平３−７６５１０
【発明の開示】
【発明が解決しようとする課題】
【０００４】
本発明は以上のような従来の欠点に鑑み、構造が簡単な螺旋部材を成型する金型を用いることができるとともに、係合ピンを備える部材が最上下部に位置すると、上下方向に移動するのを効率よく阻止することができる、安価で口紅等の充填や口紅等の収納状態での係合ピンを備える部材の上下移動を阻止できる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は下端部が閉塞された上部にキャップ嵌合部材が嵌合固定されたハカマ部材と、このハカマ部材内に挿入固定された円筒状の螺旋部材本体、この螺旋部材本体の上下端部に形成された係止凹部、この上下端部の係止凹部と連通するように前記螺旋部材本体の内壁面に形成された螺旋溝とからなる螺旋部材と、この螺旋部材に回転可能に取付けられた下部内壁面あるいは上部内壁面に軸心方向の溝を有する外筒部材と、前記螺旋部材内に収納された該螺旋部材の最下部に位置した場合に下端部の係止凹部および螺旋溝と係合し、最上部に位置した場合に螺旋溝および上端部の係止凹部と係合する、少なくとも一対の係合ピンを有する係合ピンを備える部材と、この係合ピンを備える部材と回転可能に取付けられた、前記外筒部材の下部内壁面の溝と係合する係合片を有する内筒部材の下端部が固定された、あるいは係合ピンを備える部材と回転可能に取付けられた、前記外筒部材の上部内壁面の溝と係合する上部外周部に係合片および下部位置に軸心方向の切欠き部が形成された上下移動部材と、前記係合ピンを有する部材に形成されたねじ部と螺合し、かつ前記上下移動部材に上下移動可能で、回動不能に取付けられたねじ棒、あるいは前記上下移動部材の切欠き部および前記係合ピンを有する部材に形成されたねじ部と螺合する係合ピンを備える口紅等の棒状化粧料を支持する皿部材とで口紅等の収納容器を構成している。
【０００７】
【発明の効果】
【０００８】
以上の説明から明らかなように、本発明にあっては次に列挙する効果が得られる。
【０００９】
（１）螺旋溝が形成された螺旋部材と、この螺旋部材の螺旋溝と係合する係合ピンを備える部材とを備える口紅等の収納容器において、前記螺旋部材を合成樹脂材製の円筒状の螺旋部材本体、この螺旋部材本体の上下端部に形成された係止凹部、この上下端部の係止凹部と連通するように前記螺旋部材本体の内壁面に形成された螺旋溝とで形成するとともに、前記係合ピンを備える部材に該係合ピンを備える部材が最下部に位置した場合に、前記螺旋部材の下端部の係止凹部および螺旋溝と係合し、最上部に位置した場合に螺旋溝および上端部の係止凹部と係合する少なくとも一対の係合ピンを設けたので、係合ピンを備える部材を最上下部に位置させることにより、少なくとも一対の係合ピンが螺旋部材の上下端部の係止凹部と係合して、上下方向に移動するのを阻止することができる。
したがって、口紅等の充填時に係合ピンを備える部材が下方へ移動したり、収納時に振動等で係合ピンを備える部材が上方へ移動したりするのを効率よく防止できる。
【００１０】
（２）前記（１）によって、螺旋部材を成型する金型をスライド中子を用いることなく形成できるので、製造が容易で、コストの低減を図ることができる。
【００１１】
（３）前記（１）によって、金属材製の螺旋部材を用いることなく、係合ピンを備える部材を最上下部に位置させることにより、上下移動を阻止できる。
したがって、軽量化やコストの低減を図ることができる。
【００１２】
（４）前記（１）によって、外筒部材内を螺旋部材で内筒部材を上下移動させ、内筒部材内の皿部材に支持された口紅等を係合ピンを備える部材、上下移動部材、皿部材のねじ棒で上下方向へ移動させることができる。
したがって、外筒部材内を口紅等が収納された内筒部材の上下移動および内筒部材内を上下移動する口紅等を支持した皿部材の移動でできるため、口紅等、特にやわらかい口紅等でも折れる心配なく、上下移動させることができる。
【発明を実施するための最良の形態】
【００１３】
以下、図面に示す本発明を実施するための最良の形態により、本発明を詳細に説明する。
【００１４】
図１ないし図１６に示す本発明を実施するための最良の第１の形態において、１は本発明の口紅等の収納容器で、この口紅等の収納容器１は下端部が閉塞された円筒状のハカマ部材２と、このハカマ部材２内に挿入固定された合成樹脂材製の円筒状の螺旋部材本体３、この螺旋部材本体３の上下端部に形成された係止凹部４、５、この上下端部の係止凹部４、５と連通するように前記螺旋部材本体３の内壁面に形成された螺旋溝６、前記螺旋部材本体３の上端部より上方へ突出された外筒部材支持凹部７が形成された複数個、本発明を実施する形態では５個の支持片８、８、８、８、８とからなる螺旋部材９と、この螺旋部材９の支持片８、８、８、８、８の外筒部材支持凹部７に下端部寄りの部位に形成されたリング状の突片１０が回転可能に取付けられた下部内壁面に複数個の軸心方向の溝１１が形成された外筒部材１２と、前記螺旋部材９内に収納された該螺旋部材９の最下部に位置した場合に下端部の係止凹部５および螺旋溝６と係合し、最上部に位置した場合に螺旋溝６および上端部の係止凹部４と係合する少なくとも一対、本発明を実施する形態では二対の係合ピン１３、１４、１３、１４を有する係合ピンを備える部材１５と、この係合ピンを備える部材１５の上部の係合片１６に回転可能に係合する係合部１７が取付けられた、前記外筒部材１２の溝１１と係合する少なくとも１個以上の係合片１８を有する上下移動部材１９と、前記係合ピンを備える部材１５に形成されたねじ部２０と螺合し、かつ前記上下移動部材１９に上下移動可能で、回動不能に取付けられたねじ棒２１を備える口紅等の棒状化粧料２２を支持する皿部材２３と、前記上下移動部材１９に下端部が固定された内部を前記皿部材２３が上下移動可能に取付けられた内筒部材２４と、前記外筒部材１２を覆い、下端部が前記ハカマ部材２内に嵌合固定されたキャップ嵌合部材２５と、このキャップ嵌合部材２５に着脱可能に嵌合される前記外筒部材１２を覆うキャップ２６とで構成されている。
【００１５】
上記構成の口紅等の収納容器１は、ハカマ部材２と外筒部材１２とを回動させると、上下移動部材１９の係合片１８が外筒部材１２の溝１１と係合しているため、係合ピンを備える部材１５の二対の係合ピン１３、１４および１３、１４は螺旋部材９の螺旋溝６と係合し、上下移動する。
すなわち、外筒部材１２内を口紅等の棒状化粧料２２が皿部材２３に支持された内筒部材２４が上下移動する状態となる。
係合ピンを備える部材１５が最上部に位置した状態では二対の係合ピン１３、１４および１３、１４の一方の係合ピン１４、１４は螺旋部材９の上端部の係合凹部４に係止される状態となって、上方より荷重が加わっても係合ピンを備える部材１５、すなわち皿部材２３は下方への移動を阻止される。
係合ピンを備える部材１５をさらに上方へ移動させる方向にハカマ部材２と外筒部材１２とを回動させると、係合ピンを備える部材１５とハカマ部材２とは一体的になって回動し、皿部材２３のねじ棒２１と係合ピンを備える部材１５のねじ部２０との回転によって、皿部材２３が内筒部材２４内を上方へ移動し、内筒部材２４内より口紅等の棒状化粧料２２が上方へ移動する。
【００１６】
係合ピンを備える部材１５を最下部へ位置させると、二対の係合ピン１３、１４および１３、１４の一方の係合ピン１３、１３は下端部の係止凹部５に位置し、振動等によって係合ピンを備える部材１５、すなわち皿部材２３に支持された口紅等の棒状化粧料２２が上方へ移動するのを防止できる。
[発明を実施するための異なる形態]
【００１７】
次に、図１７ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１７ないし図２０に示す本発明を実施するための第２の形態において、前記本発明を実施するための最良の第１の形態と主に異なる点は、係合ピンを備える部材１５の上部外周部に内筒部材２４Ａのリング状の係合片２７と係合する凹溝２８を形成するとともに、該内筒部材２４Ａに皿部材２３のねじ棒２１の回転を阻止するストッパー部２９を形成し、内筒部材２４Ａの係合片２７を外筒部材１２Ａの下部に形成した軸心方向の切欠き部３０と係合させるように構成した点で、このように構成された口紅等の収納容器１Ａにしても、前記本発明を実施するための最良の第１の形態と同様な作用効果が得られる。
【００１９】
図２１ないし図２７に示す本発明を実施するための第３の形態において、前記本発明を実施するための最良の第１の形態と主に異なる点は、複数個の支持片８の上部内壁面に支持突起３１を形成した螺旋部材９Aと、内壁面にねじ部２０が形成された円筒状の係合ピンを備える部材１５Aと、上部内壁面に軸心方向の複数個の溝１１が形成され下部が前記螺旋部材９Aを覆うことができる大径に形成された外筒部材１２Ｂと、この外筒部材１２Ｂの複数個の溝１１と係合する係合片１８、１８が上部外周部に形成され下部位置に軸心方向の切欠き部３２、３２が形成されたほぼ中央部と下端部に係止リング３３、３４が形成された上下移動部材１９Ａと、下部外周部に前記上下移動部材１９Ａの切欠き部３２、３２を介して前記係合ピンを備える部材１５Aのねじ部２０と係合する係合ピン３５を備える皿部材２３Ａとを用いた点で、このような部材を用いて構成した口紅等の収納容器１Ｂにしても、前記本発明を実施するための最良の第１の形態と同様な作用効果が得られる。
【産業上の利用可能性】
【００２０】
本発明は口紅等の収納容器を製造する産業で利用される。
【図面の簡単な説明】
【００２１】
【図１】本発明を実施するための最良の第１の形態の縦断面図。
【図２】本発明を実施するための最良の第１の形態の分解斜視図。
【図３】本発明を実施するための最良の第１の形態の螺旋部材の断面図。
【図４】本発明を実施するための最良の第１の形態の外筒部材の断面図。
【図５】本発明を実施するための最良の第１の形態の係合ピンを備える部材の正面図。
【図６】図５の６−６線に沿う断面図。
【図７】本発明を実施するための最良の第１の形態の上下移動部材の正面図。
【図８】図７の８−８線に沿う断面図。
【図９】本発明を実施するための最良の第１の形態の皿部材の正面図。
【図１０】図９の１０−１０線に沿う断面図。
【図１１】本発明を実施するための最良の第１の形態の内筒部材の一部破断正面図。
【図１２】本発明を実施するための最良の第１の形態の内筒部材を上方へ移動させた状態の縦断面図。
【図１３】二対の係合ピンの上下移動時の螺旋溝との関係を示す説明図。
【図１４】二対の係合ピンが最上部に位置した状態の螺旋部材との関係を示す説明図。
【図１５】二対の係合ピンが最下部に位置した状態の螺旋部材との関係を示す説明図。
【図１６】本発明を実施するための最良の第１の形態の口紅等の棒状化粧料の使用状態の説明図。
【図１７】本発明を実施するための第２の形態の縦断面図。
【図１８】本発明を実施するための第２の形態の分解斜視図。
【図１９】本発明を実施するための第２の形態の螺旋部材の断面図。
【図２０】本発明を実施するための第２の形態の係合ピンを備える部材の正面図。
【図２１】本発明を実施するための第３の形態の縦断面図。
【図２２】本発明を実施するための第３の形態の分解斜視図。
【図２３】本発明を実施するための第３の形態の螺旋部材の断面図。
【図２４】本発明を実施するための第３の形態の外筒部材の断面図。
【図２５】本発明を実施するための第３の形態の係合ピンを備える部材の断面図。
【図２６】本発明を実施するための第３の形態の上下移動部材の断面図。
【図２７】本発明を実施するための第３の形態の皿部材の断面図。
【符号の説明】
【００２２】
１、  、１Ａ、１Ａ：口紅等の収納容器、
２、  、２：ハカマ部材、          ３：螺旋部材本体、
４：上端部係止凹部、          ５：下端部係止凹部、
６：螺旋溝、                  ７：外筒部材支持凹部、
８：支持片、                  ９、９Ａ：螺旋部材、
１０：突片、                  １１：溝、
１２、１２Ａ、１２Ｂ：外筒部材、
１３、１４：係合ピン、
１５、１５Ａ：係合ピンを備える部材、
１６：係合片、      １７：係合部、
１８：係合片、      １９、１９Ａ：上下移動部材、
２０：ねじ部、      ２１：ねじ棒、
２２：口紅等の棒状化粧料、  ２３、２３Ａ：皿部材、
２４、２４Ａ：内筒部材、    ２５：キャップ嵌合部材、
２６：キャップ、      ２７：係合片、
２８：凹溝、        ２９：ストッパー部、
３０：切欠き部、              ３１：支持突起、
３２：切欠き部、              ３３：係止リング、
３４：係止リング、            ３５：係合ピン。
【図１】
0005296348.tif 000002
【図３】
0005296348.tif 000003
【図５】
0005296348.tif 000004
【図７】
0005296348.tif 000005
【図８】
0005296348.tif 000006
【図１１】
0005296348.tif 000007
【図１２】
0005296348.tif 000008
【図１６】
0005296348.tif 000009
【図１７】
0005296348.tif 000010
【図１８】
0005296348.tif 000011
【図１９】
0005296348.tif 000012
【図２１】
0005296348.tif 000013
【図２３】
0005296348.tif 000014
【図２４】
0005296348.tif 000015
【図２５】
0005296348.tif 000016
【図２６】
0005296348.tif 000017
【図２７】
0005296348.tif 000018
【図２】
0005296348.tif 000019
【図４】
0005296348.tif 000020
【図６】
0005296348.tif 000021
【図９】
0005296348.tif 000022
【図１０】
0005296348.tif 000023
【図１３】
0005296348.tif 000024
【図１４】
0005296348.tif 000025
【図１５】
0005296348.tif 000026
【図２０】
0005296348.tif 000027
【図２２】
0005296348.tif 000028